(57)【要約】【課題】撮像素子による表示用画像の撮影中に記録用の露光を行う際に露光タイミングを誤認識することのない撮像装置を提供する。【解決手段】光学系による像を撮像する撮像素子１１０と、前記光学系による像のコントラストに関する焦点評価値を検出する第１焦点検出手段１７０と、前記光学系を介した一対の光束に基づいて前記光学系の焦点調節状態を検出する第２焦点検出手段１６１と、手動操作されることにより、前記第１焦点検出手段または前記第２焦点検出手段を動作させる操作部材１５１と、前記操作部材が操作された際に前記撮像素子によって前記像を撮像しているか否かに応じて、前記第１焦点検出手段と前記第２焦点検出手段のいずれか一方を動作させる制御手段１７０とを備える。【選択図】  図１
2010170001.tif 000002
【特許請求の範囲】
【請求項１】
光学系による像を撮像する撮像素子と、
前記光学系による像のコントラストに関する焦点評価値を検出する第１焦点検出手段と、
前記光学系を介した一対の光束に基づいて前記光学系の焦点調節状態を検出する第２焦点検出手段と、
手動操作されることにより、前記第１焦点検出手段または前記第２焦点検出手段を動作させる操作部材と、
前記操作部材が操作された際に前記撮像素子によって前記像を撮像しているか否かに応じて、前記第１焦点検出手段と前記第２焦点検出手段のいずれか一方を動作させる制御手段と、を備えたことを特徴とする撮像装置。
【請求項２】
請求項１に記載の撮像装置において、
前記制御手段は、前記撮像素子によって前記像を撮像していない間に前記操作部材が操作された場合は前記第２焦点検出手段を動作させ、前記撮像素子によって前記像を撮像している間に前記操作部材が操作された場合は前記第１焦点検出手段を動作させることを特徴とする撮像装置。
【請求項３】
請求項１または２に記載の撮像装置において、
前記操作部材とは独立して前記第２焦点検出手段を起動させる起動手段を備え、
前記制御手段は、前記撮像素子によって前記像を撮像している間に前記起動手段によって前記第２焦点検出手段が起動された場合は、前記撮像素子による前記像の撮像を中止することを特徴とする撮像装置。
【請求項４】
請求項３に記載の撮像装置において、
前記起動手段によって前記第１焦点検出手段を起動可能に設定する設定手段を備えたことを特徴とする撮像装置。
【請求項５】
請求項４に記載の撮像装置において、
前記設定手段は、前記起動手段によって前記第１焦点検出手段を起動可能とする第１モードと、前記起動手段によって前記第２焦点検出手段を起動する第２モードとを設定可能とすることを特徴とする撮像装置。
【請求項６】
請求項５に記載の撮像装置において、
前記第１モードは、前記起動手段によって前記第１焦点検出手段と前記第２焦点検出手段のいずれかを起動可能であり、
前記第２モードは、前記起動手段によって前記第１焦点検出手段を起動不可としたことを特徴とする撮像装置。
【請求項７】
請求項１〜６のいずれか一項に記載の撮像装置において、
前記撮像素子によって前記像を繰り返して得られる信号を動画として記録する記録制御手段を備え、
前記制御手段は、前記記録制御手段による前記動画の記録に先立って前記第２焦点検出手段を動作させることを特徴とする撮像装置。
【請求項８】
請求項１〜７のいずれか一項に記載の撮像装置において、
前記撮像素子によって前記像を繰り返し撮像して得られる信号による画像を表示する表示手段を備え、
前記制御手段は、前記表示手段による前記画像の表示に先立って前記第２焦点検出手段を動作させることを特徴とする撮像装置。
【請求項９】
請求項１〜８のいずれか一項に記載の撮像装置において、
前記撮像素子によって前記像を繰り返して得られる信号を静止画として記録する静止画記録制御手段を備え、
前記制御手段は、前記静止画記録制御手段による前記静止画の記録に先立って前記第２焦点検出手段を動作させることを特徴とする撮像装置。
【発明の詳細な説明】
【技術分野】
【０００１】
この発明は、撮像装置に関するものである。
【背景技術】
【０００２】
被写体像を電子ビューファインダで観察できるデジタル一眼レフカメラが知られている（特許文献１）。このデジタル一眼レフカメラにおいて、クイックリターンミラーを撮影光路から退避させて被写体像を撮影中に（以下、ライブビューとも言う。）レリーズボタンを半押しすると、位相差方式によるオートフォーカスが行われる。
【先行技術文献】
【特許文献】
【０００３】
【特許文献１】特開２００８−２８９９７号公報
【発明の概要】
【発明が解決しようとする課題】
【０００４】
しかしながら、ライブビュー中にレリーズボタンを全押しして撮影を行なう場合、全押しする途中の半押し操作の状態で位相差方式のオートフォーカスを行うためにクイックリターンミラーが下降動作するので、シャッター音に似た音が発生し、撮影者が露光のタイミングを誤認識するといった問題があった。
【０００５】
この発明が解決しようとする課題は、露光のタイミングの誤認識を防止できる撮像装置を提供することである。
【課題を解決するための手段】
【０００６】
この発明は、以下の解決手段によって上記課題を解決する。なお、発明の実施形態を示す図面に対応する符号を付して説明するが、この符号は発明の理解を容易にするためだけのものであって発明を限定する趣旨ではない。
【０００７】
発明に係る撮像装置（１）は、光学系（２１０）による像を撮像する撮像素子（１１０）と、前記光学系による像のコントラストに関する焦点評価値を検出する第１焦点検出手段（１７０）と、前記光学系を介した一対の光束に基づいて前記光学系の焦点調節状態を検出する第２焦点検出手段（１６１）と、手動操作されることにより、前記第１焦点検出手段または前記第２焦点検出手段を動作させる操作部材（１５１）と、前記操作部材が操作された際に前記撮像素子によって前記像を撮像しているか否かに応じて、前記第１焦点検出手段と前記第２焦点検出手段のいずれか一方を動作させる制御手段（１７０）と、を備えたことを特徴とする。
【０００８】
上記発明において、前記制御手段（１７０）は、前記撮像素子によって前記像を撮像していない間に前記操作部材が操作された場合は前記第２焦点検出手段を動作させ、前記撮像素子によって前記像を撮像している間に前記操作部材が操作された場合は前記第１焦点検出手段を動作させるように構成することができる。
【０００９】
上記発明において、前記操作部材とは独立して前記第２焦点検出手段を起動させる起動手段（１５３）を備え、前記制御手段は、前記撮像素子によって前記像を撮像している間に前記起動手段によって前記第２焦点検出手段が起動された場合は、前記撮像素子による前記像の撮像を中止するように構成することができる。
【００１０】
上記発明において、前記起動手段によって前記第１焦点検出手段を起動可能に設定する設定手段（１５６）を備えることができる。
【００１１】
上記発明において、前記設定手段（１５６）は、前記起動手段によって前記第１焦点検出手段を起動可能とする第１モードと、前記起動手段によって前記第２焦点検出手段を起動する第２モードとを設定可能に構成することができる。
【００１２】
上記発明において、前記第１モードは、前記起動手段によって前記第１焦点検出手段と前記第２焦点検出手段のいずれかを起動可能であり、前記第２モードは、前記起動手段によって前記第１焦点検出手段を起動不可に構成することができる。
【００１３】
上記発明において、前記撮像素子によって前記像を繰り返して得られる信号を動画として記録する記録制御手段（１７０）を備え、前記制御手段は、前記記録制御手段による前記動画の記録に先立って前記第２焦点検出手段を動作させるように構成することができる。
【００１４】
上記発明において、前記撮像素子によって前記像を繰り返し撮像して得られる信号による画像を表示する表示手段（１８０）を備え、
前記制御手段は、前記表示手段による前記画像の表示に先立って前記第２焦点検出手段を動作させるように構成することができる。
【００１５】
上記発明において、前記撮像素子によって前記像を繰り返して得られる信号を静止画として記録する静止画記録制御手段（１７０）を備え、前記制御手段は、前記静止画記録制御手段による前記静止画の記録に先立って前記第２焦点検出手段を動作させるように構成することができる。
【発明の効果】
【００１６】
上記発明によれば、撮像素子による撮影中か否かに応じて焦点検出手段を選択するので露光タイミングの誤認識が防止できる。
【図面の簡単な説明】
【００１７】
【図１】発明の一実施の形態に係る一眼レフデジタルカメラの構成を示すブロック図である。
【図２】（ａ）は図１のカメラボディを示す背面図、（ｂ）は図１のカメラボディを示す正面図である。
【図３】図１のカメラで実行される制御手順を示すフローチャートである。
【図４】図３のステップＳ８のサブルーチンを示すフローチャートである。
【図５】図４のステップＳ８０２５のＢに続くルーチンを示すフローチャートである。
【図６】図３のステップＳ１６のサブルーチンを示すフローチャートである。
【図７】図３のステップＳ１８のサブルーチンを示すフローチャートである。
【発明を実施するための形態】
【００１８】
以下、上記発明の実施形態を図面に基づいて説明する。
【００１９】
以下においては、上記発明をレンズ交換式一眼レフデジタルカメラに適用した実施形態を図面に基づいて説明するが、上記発明は、撮影レンズの焦点調節を行うあらゆる撮像装置やレンズ固定式カメラにも適用することができる。
【００２０】
図１は発明の実施形態に係る一眼レフデジタルカメラ１（以下、単にカメラ１という。）を示すブロック図であり、上記発明の撮像装置に関する構成以外のカメラの一般的構成については、その図示と説明を一部省略する。
【００２１】
本例のカメラ１は、カメラボディ１００とレンズ鏡筒２００を備え、これらカメラボディ１００とレンズ鏡筒２００はマウント部３００により着脱可能に結合されている。
【００２２】
レンズ鏡筒２００には、フォーカスレンズ２１１やズームレンズ２１２を含む撮影レンズ２１０や絞り装置２２０などからなる撮影光学系が内蔵されている。
【００２３】
フォーカスレンズ２１１は、その光軸Ｌ１に沿って移動可能に設けられ、エンコーダ２６０によってその位置又は移動量が検出されつつレンズ駆動モータ２３０によってその位置が調節される。フォーカスレンズ２１１は、回転筒の回転によってカメラボディ側の端部（至近端）から被写体側の端部（無限端）までの間を光軸Ｌ１方向に移動することができる。ちなみに、エンコーダ２６０で検出されたフォーカスレンズ２１１の位置又は移動量の情報は、レンズ制御部２５０を介してレンズ駆動制御部１６５へ送信される。また、レンズ駆動モータ２３０は、後述する焦点検出結果に基づいて演算された駆動量や駆動速度に応じて、レンズ駆動制御部１６５からレンズ制御部２５０を介して受信される駆動信号により駆動する。
【００２４】
絞り装置２２０は、上記撮影光学系を通過して撮像素子１１０に至る光束の光量を制限するために、光軸Ｌ１を中心にした開口径が調節可能に構成されている。絞り装置２２０による開口径の調節は、たとえば自動露出モードにおいて演算された絞り値に応じた信号が、カメラ制御部１７０からレンズ制御部２５０を介して絞り駆動部２４０へ送信されることにより行われる。また、開口径の調節は、カメラボディ１００に設けられた操作部１５０によるマニュアル操作により、設定された絞り値に応じた信号がカメラ制御部１７０からレンズ制御部２５０を介して絞り駆動部２４０へ送信されることによっても行われる。絞り装置２２０の開口径は、図示しない絞り開口センサにより検出され、レンズ制御部２５０で現在の開口径が認識される。
【００２５】
レンズ鏡筒２００にはレンズ制御部２５０が設けられている。レンズ制御部２５０はマイクロプロセッサとメモリなどの周辺部品から構成され、カメラ制御部１７０と電気的に接続され、このカメラ制御部１７０からデフォーカス量や絞り制御信号などの情報を受信するとともに、カメラ制御部１７０へレンズ情報、たとえば撮影レンズ２１０固有の開放Ｆ値を送信する。
【００２６】
一方、カメラボディ１００は、被写体からの光束を撮像素子１１０、ファインダ１３５、測光センサ１３７及び焦点検出光学系１６１へ導くためのミラー系１２０を備える。このミラー系１２０は、回転軸１２３を中心にして被写体の観察位置と撮影位置との間で所定角度だけ回転するクイックリターンミラー１２１と、このクイックリターンミラー１２１に軸支されてクイックリターンミラー１２１の回転に合わせて回転するサブミラー１２２とを備える。
【００２７】
図１においては、ミラー系１２０が光学的ファインダ１３５による被写体の観察位置にある状態を実線で示し、被写体の撮影位置または後述する電子ファインダによる観察位置にある状態を二点鎖線で示す。ミラー系１２０は、被写体の光学的ファインダ１３５による観察位置にある状態では光軸Ｌ１の光路上に挿入される一方で、被写体の撮影位置または電子ビューファインダによる観察位置にある状態では光軸Ｌ１の光路から退避するように回転する。
【００２８】
クイックリターンミラー１２１はハーフミラーで構成され、被写体の光学的ファインダ１３５による観察位置にある状態では、被写体からの光束（光軸Ｌ１）の一部の光束（光軸Ｌ２，Ｌ３）を当該クイックリターンミラー１２１で反射してファインダ１３５及び測光センサ１３７へ導き、一部の光束（光軸Ｌ４）を透過させてサブミラー１２２へ導く。これに対して、サブミラー１２２は全反射ミラーで構成され、クイックリターンミラー１２１を透過した光束（光軸Ｌ４）を焦点検出光学系１６１へ導く。
【００２９】
したがって、ミラー系１２０が光学的ファインダ１３５による観察位置にある場合は、被写体からの光束（光軸Ｌ１）はファインダ１３５、測光センサ１３５および焦点検出光学系１６１へ導かれ、撮影者により被写体がファインダ１３５を介して観察されるとともに、露出演算やフォーカスレンズ２１１の焦点調節状態の検出が実行される。そして、撮影者がレリーズボタンを全押しするとミラー系１２０が撮影位置に回転し、被写体からの光束（光軸Ｌ１）は撮像素子１１０へ導かれ、撮影した画像データを図示しないメモリに保存する。
【００３０】
撮像素子１１０は、カメラボディ１００の、被写体からの光束の光軸Ｌ１上であって、撮影レンズ２１０の予定焦点面となる位置に設けられ、その前面にシャッター１１１が設けられている。撮像素子１１０は、複数の光電変換素子が二次元に配列されたものであって、二次元ＣＣＤイメージセンサ、ＭＯＳセンサまたはＣＩＤなどで構成することができる。
【００３１】
撮像素子１１０の前面に配置されたシャッター１１１は、操作部１５０に含まれるシャッターボタンを全押しした時（シャッターレリーズ時）に、露出演算結果に基づく、または撮影者が設定したシャッター秒数だけ開放され、撮像素子１１０を露光する。この撮像素子１１０で光電変換された電気画像信号は、カメラ制御部１７０で画像処理されたのち図示しないメモリに保存される。なお、撮影画像を格納するメモリは内蔵型メモリやカード型メモリなどで構成することができる。
【００３２】
一方、クイックリターンミラー１２１で反射された被写体光からの光束は、撮像素子１１０と光学的に等価な面に配置された焦点板１３１に結像し、ペンタプリズム１３３と接眼レンズ１３４とを介して撮影者の眼球に導かれる。このとき、透過型液晶表示器１３２は、焦点板１３１上の被写体像に焦点検出エリアマークなどを重畳して表示するとともに、被写体像外のエリアにシャッター速度、絞り値、撮影枚数などの撮影に関する情報を表示する。これにより、撮影者は、撮影準備状態において、ファインダ１３５を通して被写体およびその背景ならびに撮影関連情報などを観察することができる。
【００３３】
測光センサ１３７は、二次元カラーＣＣＤイメージセンサなどで構成され、撮影の際の露出値を演算するため、撮影画面を複数の領域に分割して領域ごとの輝度に応じた測光信号を出力する。測光センサ１３７で検出された画像情報はカメラ制御部１７０へ出力され、自動露出制御に用いられる。
【００３４】
操作部１５０は、シャッターレリーズボタンや撮影者がカメラ１の各種動作モードを設定するための入力スイッチ類であり、シャッターレリーズボタンは全押ししたときにシャッターがＯＮされるが、これ以外にも、オートフォーカスモードにおいて当該ボタンを半押しするとフォーカスレンズの合焦動作がＯＮとなり、ボタンを離すとＯＦＦになる。この操作部１５０により設定された各種モードはカメラ制御部１７０へ送信され、当該カメラ制御部１７０によりカメラ１全体の動作が制御される。
【００３５】
この操作部１５０の詳細を図２（ａ）（ｂ）を参照して説明する。図２（ａ）はカメラボディ１００の背面図、図２（ｂ）は同じく正面図である。
【００３６】
図２（ａ）に示す液晶ディスプレイからなる表示部１８０は、ライブビューボタン１５４を押すことで、撮像素子１１０により撮像した画像を逐次表示する電子ファインダとして機能し、当該表示部１８０に表示される被写体を観察しながら撮影操作を行うことができる。このように表示部１８０を電子ビューファインダとして機能させることをライブビューとも称する。また表示部１８０には、後述する画像処理回路１７２やカメラ制御部１７０のプログラムの実行に応じた動作状態やメッセージなどが、文字や画像を用いて表示される。この表示は、カメラ制御部１７０からの駆動信号により、撮像画像に重畳して表示される。
【００３７】
図２（ａ）に示すＡＦボタン１５３は、焦点検出を行ってフォーカスレンズ２１１を合焦位置に向かって駆動する手動操作ボタンであり、撮影状況に応じて位相差検出方式による焦点検出とコントラスト検出方式による焦点検出とを切り換える。これについては後述する。
【００３８】
ライブビューボタン１５４は、上述したライブビューを開始または終了するボタンであり、クイックリターンミラー１２０が観察位置にある場合に押されると、クイックリターンミラー１２０を撮影位置に移動してライブビューを開始し、ライブビュー中に押されるとクイックリターンミラー１２０を観察位置に移動してライブビューを終了する。
【００３９】
動画ボタン１５５は、撮影された画像を動画として記録を開始または終了するボタンであり、ライブビュー中に押されると動画記録を開始し、動画記録中に押されると当該動画記録を終了する。
【００４０】
メニューボタン１５７は、表示部１８０に各種操作メニューの画面を表示または終了するボタンであり、メニュー画面が表示部１８０に表示されていない場合（ただし動画記録時を除く。）に押されるとメニュー画面が表示され、メニュー画面が表示されている場合に押されると当該メニューを終了する。
【００４１】
再生ボタン１５８は、表示部１８０に撮影画像を再生または終了するボタンであり、撮影画像が表示部１８０に表示されていない場合（ただし動画記録時を除く。）に押されると撮影画像が表示され、撮影画像が表示されている場合に押されると当該再生を終了する。
【００４２】
図２（ｂ）に示す１５１が上述したシャッターレリーズボタン、１５２が電源ダイヤルスイッチである。
【００４３】
図１に戻り、カメラボディ１００にはカメラ制御部１７０が設けられている。カメラ制御部１７０はマイクロプロセッサとメモリなどの周辺部品から構成され、マウント部３００に設けられた電気信号接点部によりレンズ制御部２５０と電気的に接続され、このレンズ制御部２５０からレンズ情報を受信するとともに、レンズ制御部２５０へデフォーカス量や絞り制御信号などの情報を送信する。
【００４４】
また、カメラ制御部１７０は、上述したように撮像素子１１０から画像情報を読み出すとともに、必要に応じて所定の情報処理を施し、図示しないメモリに出力する。また、カメラ制御部１７０は、撮影画像情報の補正やレンズ鏡筒２００の焦点調節状態、絞り調節状態などを検出するなど、カメラ１全体の制御を司る。
【００４５】
特に本例のカメラ１では、フォーカスレンズ２１１による合焦操作を、位相差検出方式による焦点検出と、コントラスト検出方式による焦点検出のいずれかの焦点検出方法を用いて行う。
【００４６】
すなわち、図１に示す焦点検出光学系１６１、焦点検出センサ１６２、焦点検出演算部１６３およびレンズ駆動量演算部１６４が、位相差検出方式の焦点検出装置を構成し、撮影レンズ２１０の焦点調節状態を表すデフォーカス量を検出する。
【００４７】
これに対し、コントラスト検出方式による焦点検出はカメラ制御部１７０にて実行され、カメラ制御部１７０では、撮像素子１１０により撮像された画像データのうち所定の焦点検出領域（フォーカスエリア）に対応する撮像領域の画像データから高周波数成分を抽出し、この成分出力を積算してコントラストの評価値が最大となるフォーカスレンズ位置を検出する。これがコントラスト検出方式の焦点検出装置を構成する。このコントラストの評価値の最大値を求める際に、フォーカスレンズ２１１を所定ピッチで駆動させながらコントラスト評価値を検出する、いわゆる山登り方式を採用することができる。
【００４８】
次に動作を説明する。
【００４９】
図３は、本例のカメラ１の制御手順を示すフローチャートである。
【００５０】
まずステップＳ１ではフラグＤ，Ｍ，Ｐ，ＬＶ，ＭＶの初期化を実行する。ここで、フラグＤは表示部１８０がＯＮのときに１、ＯＦＦのときに０となるモニタフラグ、フラグＭは表示部１８０にメニュー画面が表示されているときに１、表示されていないときに０となるメニューフラグ、フラグＰは表示部１８０に撮影画像が再生表示されているときに１、再生表示されていないときに０となる再生表示フラグ、フラグＬＶはクイックリターンミラー１２０が撮影位置に移動して撮像素子に取る撮像画像をリアルタイムで表示部１８０に表示しているとき（上述したライブビュー）に１、クイックリターンミラー１２０が観察位置に移動してライブビューでないときに０となるライブビューフラグ、フラグＭＶはクイックリターンミラー１２０が撮影位置に移動して撮像素子による撮像画像を動画として記録しているときに１、動画記録をしていないときに０となる動画フラグである。
【００５１】
ステップＳ２では電源ダイヤルスイッチ１５２がＯＮかＯＦＦかを判定し、ＯＦＦである場合はステップＳ３へ進み、本プログラムの終了処理を実行する。ステップＳ３の終了処理では、表示部１８０を消灯する前に、上述したモニタフラグＤ，ライブビューフラグＬＶ，動画フラグＭＶが１の場合にクイックリターンミラー１２０を観察位置に移動させるとともにシャッター１１１を原位置に戻し、メニューフラグＰが１の場合は表示部１８０への画像再生を終了させる。
【００５２】
ステップＳ２にて電源ダイヤルスイッチ１５２がＯＮの場合はステップＳ４〜Ｓ５へ進み、測光及び露光演算を実行する。この露光演算結果は次のステップＳ６にて光学的ファインダ１３５系の透過型液晶表示器１３２に表示される。
【００５３】
ここで、ステップＳ７にてライブビューボタン１５４が押されるとステップＳ８へ進み、ライブビューモード処理を実行する。ライブビューモード処理については後述する（図４〜図５）。
【００５４】
ステップＳ７にてライブビューボタン１５４が押されていない場合はステップＳ９へ進み、メニューフラグＭが１のときはステップＳ１０にて表示部１８０にメニュー画面を表示し、続くステップＳ１１にてメニューボタン１５７が押されて各種操作が行われるとその入力に応じたメニューボタン処理をステップＳ１２にて実行する。
【００５５】
このメニューボタン処理は、上述したライブビューフラグＬＶが１とのきにクイックリターンミラー１２０を観察位置に戻したのち液晶ディスプレイ１８０を点灯させるとともにメニュー画像を表示する。このときモニタフラグＤおよびメニューフラグＭを１に設定する。一方、ライブビューフラグＬＶが０のときは、モニタフラグＤを確認し、モニタフラグＤが０のときは液晶ディスプレイ１８０を点灯させるとともにメニュー画像を表示するとともにメニューフラグＭを１に設定する。モニタフラグＤが１のときは再生表示フラグＰを確認し、再生表示フラグＰが１のときは再生表示を終了して再生表示フラグＰを０に設定したのち、液晶ディスプレイ１８０にメニュー画像を表示するとともにメニューフラグＭを１に設定する。また、モニタフラグＤが１、再生表示フラグＰが０のときはメニュー画像の表示を終了してメニューフラグＭを０に戻すとともに、液晶ディスプレイ１８０を消灯してモニタフラグＤを０に戻す。
【００５６】
また、ステップＳ１３にて再生ボタン１５８が押されるとメニュー画面に代えて撮像画像を表示部１８０へ表示するなど、ステップＳ１４にて各種再生ボタン処理を実行する。
【００５７】
この再生ボタン処理は、上述したライブビューフラグＬＶが１とのきにクイックリターンミラー１２０を観察位置に戻したのち液晶ディスプレイ１８０を点灯させるとともに再生画像を表示する。このときモニタフラグＤおよび再生表示フラグＰを１に設定する。一方、ライブビューフラグＬＶが０のときは、モニタフラグＤを確認し、モニタフラグＤが０のときは液晶ディスプレイ１８０を点灯させるとともに再生画像を表示するとともに再生表示フラグＰを１に設定する。モニタフラグＤが１のときはメニューフラグＭを確認し、メニューフラグＭが１のときはメニュー表示を終了してメニューフラグＭを０に設定したのち、液晶ディスプレイ１８０に再生画像を表示するとともに再生表示フラグＰを１に設定する。また、モニタフラグＤが１、メニューフラグＭが０のときは再生画像の表示を終了して再生表示フラグＰを０に戻すとともに、液晶ディスプレイ１８０を消灯してモニタフラグＤを０に戻す。
【００５８】
続くステップＳ１５にてＡＦボタン１５３が押されると、ステップＳ１６にてＡＦボタン処理を実行する。このＡＦボタン処理のサブルーチンを図６に示す。
【００５９】
図３のステップＳ１６は、ライブビューモードではないときにＡＦボタン１５３が押された場合であり、クイックリターンミラー１２０は観察位置にある。したがって、図６のステップＳ１６０１にて位相差検出方式による焦点検出、つまり焦点検出光学系１６１等により焦点検出を行い、焦点検出演算部１６３にて演算されたデフォーカス量が所定範囲内にあるか否かを次のステップＳ１６０２にて判定し（合焦判定）、所定範囲にない場合は、次のステップＳ１６０３にて、演算されたデフォーカス量に基づいてフォーカスレンズ２１１を駆動する。これにより撮影画像が合焦する。
【００６０】
このサブルーチンでは位相差検出方式による焦点検出を行うので、検出精度が高く合焦時間も短時間となる。ステップＳ１６０４ではＡＦボタン１５３が押されているか否かを判定し、押されている場合は以上の処理を繰り返し、押されていない場合は図３のステップＳ１７へ進む。
【００６１】
図３に戻り、ステップＳ１７にてレリーズボタン１５１が半押しされると、ステップＳ１８へ進んで半押し処理を実行する。この半押し処理のサブルーチンを図７に示す。図７のステップＳ１８０１〜Ｓ１８０６では、モニタフラグＤが１で再生表示フラグが１の場合、すなわち表示部１８０が点灯して撮影画像が再生表示されているときは当該再生表示を終了し、表示部１８０を消灯するとともに、モニタフラグＤ及び再生表示フラグを０に設定する。
【００６２】
そして、図３のステップＳ１８は、ライブビューモードではないときにレリーズボタン１５１が半押しされた場合であり、クイックリターンミラー１２０は観察位置にある。したがって、ステップＳ１８０７にて位相差検出方式による焦点検出、つまり焦点検出光学系１６１等により焦点検出を行い、焦点検出演算部１６３にて演算されたデフォーカス量が所定範囲内にあるか否かを次のステップＳ１８０８にて判定し（合焦判定）、所定範囲にない場合は、次のステップＳ１８０９にて、演算されたデフォーカス量に基づいてフォーカスレンズ２１１を駆動する。これにより撮影画像が合焦する。
【００６３】
このサブルーチンでも位相差検出方式による焦点検出を行うので、検出精度が高く合焦時間も短時間となる。
【００６４】
図３に戻り、ステップＳ１９にてレリーズボタン１５１が全押しされたか否かを判定し、全押しされた場合はステップＳ２０へ進んで、所定のレリーズ処理を実行し、撮影画像をメモリ等に保存する。
【００６５】
次に、図３のステップＳ８のライブビューモードにおける制御手順を説明する。
【００６６】
図４は図３のステップＳ８のサブルーチンを示すフローチャート、図５は図４のＢに続くサブルーチンを示すフローチャートである。
【００６７】
まずライブビューモードの起動信号が入力されると、クイックリターンミラー１２０を撮影位置に移動させる前に、図４のステップＳ８００１〜Ｓ８００３にて位相差検出方式による焦点検出を行ってフォーカスレンズ２１１を駆動させ、撮影画像を合焦させる。
【００６８】
次いで、ステップＳ８００４にてクイックリターンミラー１２０を撮影位置に移動し、ステップＳ８００５にてシャッター１１１を開いて撮像素子１１０への電荷蓄積時間を制御しつつ画像データを取り込み、圧縮処理等を含む所定の画像処理を行う。
【００６９】
ステップＳ８００６にて、動画フラグＭＶが１か否か、すなわち動画ボタン１５５が押されたか否かを判定し、動画フラグＭＶが０のときはステップＳ８００８へ進んで表示部１８０に動画を再生表示する。これが上述したライブビューであり、撮影者は表示部１８０により被写体を観察することができる。一方、動画フラグＭＶが１のときはステップＳ８００７へ進み、動画像データを図示しないメモリに保存して動画を記録したのちステップＳ８００８へ進む。
【００７０】
ステップＳ８００９にて動画ボタン１５５が押されるとステップＳ８０１０へ進み、動画フラグＭＶが０の場合はステップＳ８０１１にて動画フラグＭＶを１に設定してステップＳ８０１３へ進む一方で、動画フラグＭＶが１の場合はステップＳ８０２２にて動画フラグＭＶを０に設定してステップＳ８０１３へ進む。これに対し、ステップＳ８００９にて動画ボタン１５５が押されていない場合はステップＳ８０１８へ進む。
【００７１】
ステップＳ８００９にてライブビュー中に動画ボタン１５５が押されると、次のルーチンでメモリ等に動画が記録されるが（図４のステップＳ８００７）、それに先立ち、ステップＳ８０１３にてクイックリターンミラー１２０を観察位置に移動し、次のステップＳ８０１４にて位相差検出方式による焦点検出、つまり焦点検出光学系１６１等により焦点検出を行い、焦点検出演算部１６３にて演算されたデフォーカス量が所定範囲内にあるか否かを次のステップＳ８０１５にて判定し（合焦判定）、所定範囲にない場合は、次のステップＳ８０１６にて、演算されたデフォーカス量に基づいてフォーカスレンズ２１１を駆動する。これにより記録しようとする動画の撮影画像が合焦する。なお、ステップＳ８０１７にてＡＦボタン１５３が押されると以上の操作を繰り返す。
【００７２】
ステップＳ８０１８ではライブビューボタン１５４が押されたか否かを判定し、押された場合はステップＳ８０１９へ進んでクイックリターンミラー１２０を撮影位置に移動し、ライブビューを終了する。
【００７３】
ステップＳ８０２０では電源ダイヤルスイッチ１５２がＯＦＦになったか否かを判定し、ＯＦＦになった場合は図３のステップＳ３へ進み、プログラムの終了処理を実行する。
【００７４】
ステップＳ８０１８にてライブビューボタン１５４に変更はなく、ステップＳ８０２０にて電源ダイヤルボタン１５２にも変更がない場合はステップＳ８０２１へ進み、レリーズボタン１５１の半押しがされたか否かを判定する。半押しされていない場合はステップＳ８０２２〜Ｓ８０２４の焦点検出処理及び合焦処理をジャンプしてステップＳ８０２５へ進む。
【００７５】
ステップＳ８０２１にてレリーズボタン１５１の半押しが確認された場合、すなわちライブビュー中にレリーズボタン１５１が押されて半押し状態になった場合は、ステップＳ８０２２へ進んで、クイックリターンミラー１２０やシャッター１１１はそのままの状態で上述したコントラスト検出方式による焦点検出を行う。
【００７６】
このコントラスト検出方式による焦点検出は、ステップＳ８０２３にてフォーカスレンズ２１１を光軸に沿って所定ピッチずつ駆動させながら撮像素子１１０の所定のフォーカスエリアから出力される信号の評価値を積算し、評価値が最も高い位置を求め、その位置にフォーカスレンズ２１１を駆動するものである。そして、ステップＳ８０２４にて所定範囲の合焦位置になるまでこれを繰り返す。
【００７７】
この操作により撮影すべき像は合焦することになるが、本例では位相差検出方式を用いないでコントラスト検出方式を用いているので、クイックリターンミラー１２０やシャッター１１１を動作させることがなく、これらの動作によって撮影者がレリーズボタン１５１の半押しにより撮影を完了したと誤認識することが防止される。
【００７８】
すなわち、ライブビュー中にレリーズボタン１５１を押して位相差検出方式によるフォーカッシング操作を行なうと、それまで撮影位置にあったクイックリターンミラー１２０を一旦撮影位置に移動させるとともに、それまで開いていたシャッター１１１も閉じる必要があるため、こうしたクイックリターンミラー１２０やシャッター１１１の動作音によって撮影者は撮影を完了したものと勘違いすることがあり、意図した画像を取り損ねるといった問題がある。しかしながら、本例のようにすれば、クイックリターンミラー１２０やシャッター１１１は何ら動作しないので、こうしたミスを防止することができる。
【００７９】
ステップＳ８０２５では、レリーズボタン１５１が全押しされたか否かを判定し、全押しされていない場合はステップＳ８０２６へ進む。
【００８０】
ステップＳ８０２６にて動画フラグＭＶが１の場合はステップＳ８００５へ戻り、上述したとおりステップＳ８００６〜Ｓ８００７にて動画を記録する。
【００８１】
ステップＳ８０２７ではメニューボタン１５７が押されたか否かを判定し、押された場合はステップＳ８０２８にて所定のメニューボタン処理を実行する。また、ステップＳ８０２９では再生ボタン１５８が押されたか否かを判定し、押された場合はステップＳ８０３０にて所定の再生表示処理を実行する。
【００８２】
上記ステップＳ８０２５にてレリーズボタン１５１が全押しされた場合は、図５に示すステップＳ８０３１へ進む。ステップＳ８０３１では、それまで撮影位置にあったクイックリターンミラー１２０を観察位置に移動するとともにシャッター１１１を閉じ、次のステップＳ８０３２〜Ｓ８０３３にて測光及び露光演算を実行する。
【００８３】
ステップＳ８０３４では、位相差検出方式による焦点検出、つまり焦点検出光学系１６１等により焦点検出を行い、焦点検出演算部１６３にて演算されたデフォーカス量が所定範囲内にあるか否かを次のステップＳ８０３５にて判定し（合焦判定）、所定範囲にない場合は、次のステップＳ８０３６にて、演算されたデフォーカス量に基づいてフォーカスレンズ２１１を駆動する。これにより撮影画像が合焦する。ステップＳ８０３７では所定のレリーズ処理を実行して撮影画像をメモリ等に記録する。
【００８４】
以上のとおり、本実施形態のカメラでは、ライブビュー中にレリーズボタン１５１が半押しされた場合に、位相差検出方式による焦点検出に代えてコントラスト検出方式による焦点検出を行なうようにしたので、クイックリターンミラー１２０やシャッター１１１の動作音による撮影者の誤認識を防止することができる。
【００８５】
また、ライブビューボタン１５４が押されてライブビューが起動するに先立ち、位相差検出方式による焦点検出を行なうので、検出精度及び検出速度の点でコントラスト検出方式より優れたものとなる。
【００８６】
また、ライブビューボタン１５４が押されてライブビュー中に動画ボタン１５５が押されて動画が記録されるに先立ち、位相差検出方式による焦点検出を行なうので、検出精度及び検出速度の点でコントラスト検出方式より優れたものとなる。
【００８７】
なお、上述した実施形態ではＡＦボタン１５３を押すと位相差検出方式による焦点検出を実行するように構成したが、図２（ａ）に示すマルチセレクタ１５６を用いてＡＦボタン１５３への機能の割付を撮影者によって設定できるように構成してもよい。たとえば、ＡＦボタン１５３を押すと位相差検出方式による焦点検出とコントラスト検出方式による焦点検出とがマルチセレクタ１５６で選択可能とされた第１モードと、位相差検出方式による焦点検出のみが起動可能であってコントラスト検出方式による焦点検出が禁止された第２モードとを設定することができる。
【符号の説明】
【００８８】
１…一眼レフデジタルカメラ
１００…カメラボディ
１１０…撮像素子
１５０…操作部
１６１…焦点検出光学系
１６２…焦点検出センサ
１６３…焦点検出演算部
１６４…レンズ駆動量演算部
１８０…表示部
２００…レンズ鏡筒
２１０…撮影レンズ
２１１…フォーカスレンズ
【図１】
2010170001.tif 000003
【図２】
2010170001.tif 000004
【図３】
2010170001.tif 000005
【図４】
2010170001.tif 000006
【図５】
2010170001.tif 000007
【図６】
2010170001.tif 000008
【図７】
2010170001.tif 000009